(57)【要約】【課題】使用時には親ベッドと子ベッドの床長さ及び床高さを略同一にすることができるとともに、不使用時には子ベッドを親ベッドの床下側の空間部分に収納することができる親子ベッドを提供する。【解決手段】略同一の床長さＬ及び床高さＨを有する親ベッドＡと子ベッドＢとからなり、親ベッドＡが、ベッド床体１０と、ベッド床体１０の長手方向の両端部にそれぞれベッド床体１０に対して垂直に起立させた姿勢で配設されたヘッドフレーム２０及びフットフレーム３０とを備えてなり、子ベッドＢが、ベッド床体４０と、ベッド床体４０の長手方向の両端部にそれぞれ配設され、ベッド床体４０に対して垂直に起立させた姿勢からベッド床体４０の下側に略水平に倒伏させた姿勢に折り畳み可能であるヘッドフレーム５０及びフットフレーム６０とを備えてなる。【選択図】      図１
2006311873.tif 000002
【特許請求の範囲】
【請求項１】
親ベッドと、この親ベッドの床体下側の空間部分に出し入れ自在に収納される子ベッドとからなる親子ベッドにおいて、
使用時の親ベッドと子ベッドの床長さ及び床高さが略同一であることを特徴とする親子ベッド。
【請求項２】
親ベッドが、ベッド床体と、このベッド床体の長手方向の両端部にそれぞれベッド床体に対して垂直に起立させた姿勢で配設されたヘッドフレーム及びフットフレームとを備えてなり、
子ベッドが、ベッド床体と、このベッド床体の長手方向の両端部にそれぞれ配設され、ベッド床体に対して垂直に起立させた姿勢からベッド床体の下側に略水平に倒伏させた姿勢に折り畳み可能であるヘッドフレーム及びフットフレームとを備えてなることを特徴とする請求項１に記載の親子ベッド。
【請求項３】
子ベッドが、ベッド床体とヘッドフレーム及びフットフレームとの間に、ヘッドフレーム及びフットフレームの起立姿勢を保持したり、これを解除できるロック手段を設けたことを特徴とする請求項２に記載の親子ベッド。
【請求項４】
子ベッドが、ヘッドフレーム及びフットフレームをベッド床体の下側に略水平に倒伏した折り畳み状態においてフロアに転動自在に接地する走行手段を設けたことを特徴とする請求項２又は請求項３に記載の親子ベッド。
【発明の詳細な説明】
【技術分野】
【０００１】
本発明は、親ベッドの床体下側の空間部分に子ベッドが出し入れ自在に収納される親子ベッドに関する。
【背景技術】
【０００２】
住居スペースが狭い日本において、例えば子供部屋のように限られた面積の部屋では、室内空間の有効利用を図るため、親ベッドと、この親ベッドの床体下側の空間部分に出し入れ自在に収納される子ベッドとからなる親子ベッドが用いられている。このような親子ベッドによれば、不使用時に子ベッドを親ベッドの床体下側の空間部分に収納することで、室内空間の有効利用を図ることができるという利点を有する。
【発明の開示】
【発明が解決しようとする課題】
【０００３】
ところで、上記親子ベッドでは、子ベッドは親ベッドの床体下側の空間部分に出し入れできる大きさとしなければならないため、その床長さ及び床高さ寸法が親ベッドよりも短くしかも低くなることが避けられない。そのため、子ベッドを引き出して親ベッドに並べて利用するような場合、親ベッドと子ベッドとの床長さ及び床高さが異なることで、非常に使用しづらい面があるとともに体裁的にも悪かった。しかも、子ベッドは、床長さが短く、かつ、床高さが低いため、子供期のみの使用に限定されてしまい、子供期から大人期に至るまで長期間に亘って使用できなかった。
【０００４】
本発明は、上記事情に基づいてなされたもので、その目的とするところは、使用時には親ベッドと子ベッドの床長さ及び床高さを略同一にすることができるとともに、不使用時には子ベッドを親ベッドの床体下側の空間部分に収納することができる親子ベッドを提供することにある。
【課題を解決するための手段】
【０００５】
上記目的を達成するため、本発明は、親ベッドと、この親ベッドの床体下側の空間部分に出し入れ自在に収納される子ベッドとからなる親子ベッドにおいて、使用時の親ベッドと子ベッドの床長さ及び床高さが略同一である構成を特徴とするものである。
【０００６】
上記構成によれば、親ベッドと子ベッドとを並べて使用するような場合、親ベッドと子ベッドとの床長さ及び床高さが略同一であるので、使用に差し障りがないとともに体裁的に極めて良好である。また、使用時の子ベッドの床長さ及び床高さが親ベッドの床長さ及び床高さと略同一であるので、子供が成長していっても子ベッドを使い続けることができ、子供期から大人期に至るまで長期間に亘って使用できて経済的である。
【０００７】
また、本発明は、親ベッドが、ベッド床体と、このベッド床体の長手方向の両端部にそれぞれベッド床体に対して垂直に起立させた姿勢で配設されたヘッドフレーム及びフットフレームとを備えてなり、子ベッドが、ベッド床体と、このベッド床体の長手方向の両端部にそれぞれ配設され、ベッド床体に対して垂直に起立させた姿勢からベッド床体の下側に略水平に倒伏させた姿勢に折り畳み可能であるヘッドフレーム及びフットフレームとを備えてなる構成が好ましい。この構成によれば、子ベッドのヘッドフレーム及びフットフレームをそれぞれベッド床体に対して垂直に起立した姿勢からベッド床体の下側に略水平に倒伏した姿勢に折り畳むことにより、子ベッドの全長を親ベッドのベッド床体の長さと略等しくできるとともに、全高も親ベッドのベッド床体の高さに比べてかなり低くできる。従って、使用時の床長さ及び床高さが親ベッドの床長さ及び床高さと略同一の子ベッドでも、ヘッドフレーム及びフットフレームをそれぞれベッド床体の下側に略水平に倒伏した姿勢に折り畳むことで、親ベッドのベッド床体の下側の空間部分に出し入れ自在に収納することが可能であり、室内を見栄えよくできるとともに、室内の占有面積を少なくして室内空間を有効に利用できる。
【０００８】
また、本発明は、子ベッドが、ベッド床体とヘッドフレーム及びフットフレームとの間に、ヘッドフレーム及びフットフレームの起立姿勢を保持したり、これを解除できるロック手段を設けた構成が好ましい。この構成によれば、ヘッドフレーム及びフットフレームを起立してその起立姿勢をロック手段で保持することにより、ヘッドフレーム及びフットフレームの起立姿勢を保持できる。従って、ベッドフレーム及びフットフレームが起立した姿勢でベッド床体に大きい荷重が掛かっても、ヘッドフレーム及びフットフレームの起立姿勢が保持されて高い安全性が確保できる。
【０００９】
更に、本発明は、子ベッドが、ヘッドフレーム及びフットフレームをベッド床体の下側に略水平に倒伏した姿勢に折り畳んだ状態においてフロアに転動自在に接地する走行手段を設けた構成が好ましい。この構成によれば、子ベッドを折り畳むことにより、折り畳まれた子ベッドは走行手段により自由に移動できる。従って、不使用時に子ベッドを親ベッドのベッド床体の下側の空間部分に収納する際に、子ベッドを親ベッドのベッド床体の下側の空間部分に簡単に出し入れさせることができる。
【発明の効果】
【００１０】
上述したように、本発明は、使用時の親ベッドと子ベッドとの床長さ及び床高さが略同一であるので、親ベッドと子ベッドとを並べて使用するような場合、使用に差し障りがないとともに体裁的に極めて良好であり、子供が成長していっても子ベッドを使い続けることができて経済的である。しかも、子ベッドのヘッドフレーム及びフットフレームをそれぞれベッド床体に対して垂直に起立した姿勢からベッド床体の下側に略水平に倒伏した姿勢に折り畳んで、子ベッドの全長を親ベッドのベッド床体の長さと略等しくできるとともに、全高も親ベッドのベッド床体の高さに比べてかなり低くできるので、親ベッドのベッド床体の下側の空間部分に出し入れ自在に収納することができ、室内の占有面積を少なくして室内空間を有効に利用できる。
【発明を実施するための最良の形態】
【００１１】
以下、本発明の実施の形態を図面に基づき説明する。図１は、本実施形態の親子ベッドを示す斜視図である。本実施形態の親子ベッドは、略同一の床長さＬ及び床高さＨを有する親ベッドＡと子ベッドＢとから構成されている。
【００１２】
先ず、親ベッドＡについて図２及び図３に基づき説明する。親ベッドＡは、ベッド床体１０と、このベッド床体１０の長手方向の一端側、即ち、ヘッド側端部に配設されたヘッドフレーム２０と、ベッド床体１０の長手方向の他端側、即ち、フット側端部に配設されたフットフレーム３０とを備え、ベッド床体１０がヘッドフレーム２０とフットフレーム３０とにより支持されている。
【００１３】
ベッド床体１０は、角パイプを矩形枠状に組んで形成したものである。このベッド床体１０にはネット１１が張設され、このネット１１上に図示しない寝具（例えば、マットレス、敷布団等）等が載置されるようになっている。ベッド床体１０は、その長手方向にヘッド側とフット側とに２分割され、ヘッド側とフッド側とを図示しない連結固定手段により連結固定させている。
【００１４】
ヘッドフレーム２０は、丸パイプを門型状に折曲して形成したものであり、上辺水平部２１と、この上辺水平部２１の左右両端に鉛直状脚部２２とを有する。ヘッドフレーム２０には、両鉛直状脚部２２のそれぞれ一定の高さのところに受け具２３が取り付けられ、この受け具２３にベッド床体１０の両サイドに沿って直線状に設けられた側部フレーム１２のヘッド側端部を挿入して適宜ボルト等で固定することにより、ヘッドフレーム２０がベッド床体１０のヘッド側端部にベッド床体１０に対して垂直に起立した姿勢で装着される。
【００１５】
フットフレーム３０は、ヘッドフレーム２０と同様に丸パイプを門型状に折曲して形成したものであり、上辺水平部３１と、この上辺水平部３１の左右両端に鉛直状脚部３２を有する。フットフレーム３０においても、ヘッドフレーム２０と同様に両鉛直状脚部３２のそれぞれ一定の高さのところに受け具３３が取り付けられ、この受け具３３にベッド床体１０の両サイドに沿って直線状に設けられた側部フレーム１２のフット側端部を挿入して適宜ボルト等で固定することにより、フットフレーム３０がベッド床体１０のフット側端部にベッド床体１０に対して垂直に起立した姿勢で装着される。
【００１６】
次に、子ベッドＢについて図４及び図５に基づき説明する。子ベッドＢは、ベッド床体４０と、このベッド床体４０の長手方向の一端側、即ち、ヘッド側端部に配設されたヘッドフレーム５０と、ベッド床体４０の長手方向の他端側、即ち、フット側端部に配設されたフットフレーム６０とを備え、ベッド床体４０がヘッドフレーム５０とフットフレーム６０とにより支持されている。
【００１７】
ベッド床体４０は、角パイプを矩形枠状に組んで形成したものである。このベッド床体４０にはネット４１が張設され、このネット４１上に図示しない寝具（例えば、マットレス、敷布団等）等が載置されるようになっている。ベッド床体４０は、その長手方向にヘッド側とフット側とに２分割され、ヘッド側とフッド側とを図示しない連結固定手段によって連結固定されている。
【００１８】
ヘッドフレーム５０は、丸パイプを門型状に折曲して形成したものであり、上辺水平部５１と、この上辺水平部５１の左右両端に鉛直状脚部５２とを有する。ヘッドフレーム５０は、ベッド床体４０のヘッド側端部にリンク機構を構成する２本のリンク７１，７２を介して回動可能に装着されている。リンク機構を構成する２本のリンク７１，７２は、一端部側がヘッドフレーム５０の鉛直状脚部５２に上下に枢着され、他端部側がベッド床体４０の両サイドに沿って直線状に設けられた側部フレーム４２のフット側端部付近に前後に枢着されている。従って、ヘッドフレーム５０をベッド床体４０に対して垂直に起立した姿勢から図５に矢印で示す時計方向に回動させ、ベッド床体４０の下側に略水平に倒伏した姿勢に折り畳むことができる。
【００１９】
リンク機構を構成する２本のリンク７１，７２の内の上方に位置するリンク７１は、一端部側がＬ字状に折曲されており、この折曲部分にヘッドフレーム５０をベッド床体４０の下側に略水平に倒伏した姿勢に折り畳んだ状態においてフロアに転動自在に接地する移動用車輪７３を設けている。
【００２０】
ヘッドフレーム５０の鉛直状脚部５２の下部にはロックレバー７４の一端部側が枢着され、このロックレバー７４の他端部側にはベッド床体４０の側部フレーム１２のヘッド側端部に設けられる止めピン７６に係合可能な係合部７５が切欠き形成されている。ロックレバー７４は、子ベッドＢの使用時には係合部７５を止めピン７６に係合してヘッドフレーム５０をベッド床体４０に対して垂直に起立した姿勢に保持し、子ベッドＢの不使用時に係合部７５が止めピン７６から離脱する方向に回動すると、ヘッドフレーム５０の保持を解除してヘッドフレーム５０をベッド床体４０に対して回動可能な状態とする。尚、ヘッドフレーム５０の鉛直状脚部５２には子ベッドＢの不使用時にロックレバー７４を係止するためのフック部材（図示省略）が設けられている。
【００２１】
フットフレーム６０は、ヘッドフレーム５０と同様に丸パイプを門型状に折曲して形成したものであり、上辺水平部６１と、この上辺水平部６１の左右両端に鉛直状脚部６２とを有する。フットフレーム６０は、ベッド床体４０のフット側端部にヘッドフレーム５０と同様にリンク機構を構成する２本のリンク７１，７２を介して回動可能に装着され、ベッド床体４０に対して垂直に起立した姿勢から回動させてベッド床体４０の下側に略水平に倒伏した姿勢に折り畳むことができるようになっている。また、リンク７１の一端部側にはヘッドフレーム５０と同様に移動用車輪７３が設けられている。
【００２２】
また、フットフレーム６０においても、ヘッドフレーム５０と同様に鉛直状脚部６２の下部にロックレバー７４の一端部側が枢着され、このロックレバー７４の他端部側の係合部７５を止めピン７６に係合してフットフレーム６０をベッド床体４０に対して垂直に起立した姿勢に保持し、ロックレバー７４を回動して係合部７５を止めピン７６から離脱すると、フットフレーム６０の保持が解除されてフットフレーム６０がベッド床体４０に対して回動可能となる。
【００２３】
上記のように構成した子ベッドＢは、使用時にはベッド床体４０に対してヘッドフレーム５０及びフットフレーム６０を垂直に起立した姿勢で使用する。
【００２４】
子ベッドＢは、不使用時にはヘッドフレーム５０及びフットフレーム６０をベッド床体４０に対して垂直に起立した姿勢からベッド床体４０の下側に略水平に倒伏した姿勢に折り畳むようになっている。子ベッドＢのヘッドフレーム５０及びフットフレーム６０の折り畳みは、次のように行う。先ず、ロックレバー７４の係合部７５を止めピン７６から離脱してヘッドフレーム５０及びフットフレーム６０をベッド床体４０に対して回動可能な状態とする。次に、ヘッドフレーム５０及びフットフレーム６０をベッド床体４０に対して垂直に起立した姿勢からリンク機構を構成する２本のリンク７１，７２によりベッド床体４０の下側に略水平に倒伏した姿勢に回動すれば、ヘッドフレーム５０及びフットフレーム６０をベッド床体４０の下側に折り畳むことができる。このように折り畳まれた子ベッドＢは、ベッド床体４０の長手方向の両端部にそれぞれ立設されたヘッドフレーム５０及びフットフレーム６０がベッド床体４０の下側に略水平に倒伏された姿勢に折り畳まれるため、その全長が親ベッドＡのベッド床体１０の長さと略等しくなるとともに、全高も親ベッドＡのベッド床体１０の高さに比べてかなり低くなり、親ベッドＡのベッド床体１０の下側の空間部分に収納することが可能となる。
【００２５】
折り畳まれた子ベッドＢは、４つの移動用車輪７３によりフロアに支持されているから、この子ベッドＢは容易に移動させて所定の場所、即ち、親ベッドＡのベッド床体１０の下側の空間部分に収納することができる（図６参照）。
【００２６】
以上説明したように、本発明の親子ベッドにおいては、使用時の親ベッドＡと子ベッドＢの床長さＬ及び床高さＨが略同一であるから、親ベッドＡと子ベッドＢとを並べて使用しても、親ベッドＡと子ベッドＢとの床長さＬ及び床高さＨが略同一であるので、使用に差し障りがないとともに体裁的に極めて良好である。また、子ベッドＢは、使用時の床長さＬ及び床高さＨが親ベッドＡの床長さＬ及び床高さＨと略同一であるから、子供が使用するような場合、子供が成長していっても子ベッドＢを使い続けることができる。
【００２７】
また、本発明の親子ベッドにおいては、子ベッドＢを折り畳んだ状態で親ベッドＡのベッド床体１０の下側の空間部分に出し入れ自在に収納することができるから、昼間等の不使用時には子ベッドＢを折り畳んで親ベッドＡのベッド床体１０の下側の空間部分に収納すれば、室内を見栄えよくできるとともに、室内の占有面積を少なくして室内空間を有効に利用できる。
【００２８】
また、本発明の親子ベッドにおいては、子ベッドＢはベッド床体４０の長手方向の両端部にそれぞれヘッドフレーム５０及びフットフレーム６０がリンク機構を構成する２本のリンク７１，７２を介して回動可能に装着されているから、ヘッドフレーム５０及びフットフレーム６０をベッド床体４０の長手方向の両端部においてそれぞれ垂直に起立した姿勢からベッド床体４０の下側に略水平に倒伏された姿勢に折り畳むことで、その全長を親ベッドＡのベッド床体１０の長さと略等しくできるとともに、全高も親ベッドＡのベッド床体１０の高さに比べてかなり低くできる。従って、子ベッドＢは、使用時の床長さ及び床高さが親ベッドＡの床長さ及び床高さと略同一でも折り畳むことにより、親ベッドＡのベッド床体１０の下側の空間部分に収納することが可能である。
【００２９】
また、本発明の親子ベッドにおいては、子ベッドＢのベッド床体４０とヘッドフレーム５０及びフットフレーム６０との間に、ヘッドフレーム５０及びフットフレーム６０の起立姿勢を保持したり、これを解除できるロックレバー７４が設けられているから、子ベッドＢのヘッドフレーム５０及びフットフレーム６０を起立してその起立姿勢をロックレバー７４で保持させることにより、ベッド床体４０に大きい荷重が掛かっても、ヘッドフレーム５０及びフットフレーム６０の起立姿勢を保持でき、安全性を確保することができる。
【００３０】
また、本発明の親子ベッドにおいては、子ベッドＢはヘッドフレーム５０及びフットフレーム６０をベッド床体４０の下側に略水平に倒伏した折り畳み状態においてフロアに転動自在に接地するように移動用車輪７３を設けているから、子ベッドＢを折り畳むことにより、折り畳まれた子ベッドＢは移動用車輪７３により自由に移動できる。従って、子ベッドＢを折り畳んで親ベッドＡの下側の空間部分に収納する際に、子ベッドＢを親ベッドＡのベッド床体１０の下側の空間部分に簡単に出し入れさせることができる。
【００３１】
尚、上記実施形態では、折り畳んだ子ベッドＢを走行させることができるようにするため、走行手段として移動用車輪７３を用いたが、移動用車輪７３に代わり、フロアを転動させることができる樹脂製の球形や円形の部材或いはその他の転動可能な部材を用いるようにしても構わない。
【００３２】
また、上記実施形態では、親ベッドＡのベッド床体１０及び子ベッドＢのベッド床体４０をその長手方向に２分割したが、親ベッドＡのベッド床体１０及び子ベッドＢのベッド床体４０をその長手方向に分割にせずに一体的に形成するようにしても構わない。
【００３３】
更に、上記実施形態では、子ベッドＢをベッド専用として用いたが、子ベッドＢをソファー兼用ベッドとして用いるようにしても構わない。
【図面の簡単な説明】
【００３４】
【図１】本発明の一実施形態の親子ベッドの親ベッドと子ベッドを並べて配置した状態の斜視図である。
【図２】親ベッドを示す斜視図である。
【図３】親ベッドの要部側面図である。
【図４】子ベッドを示す斜視図である。
【図５】子ベッドの要部側面図である。
【図６】親子ベッドの子ベッドを収納した状態の側面図である。
【符号の説明】
【００３５】
Ａ…親ベッド、Ｂ…子ベッド、Ｌ…床長さ、Ｈ…床高さ、１０…ベッド床体、１１…ネット、１２…側部フレーム、２０…ヘッドフレーム、２１…上辺水平部、２２…鉛直状脚部、２３…受け具、３０…フットフレーム、３１…上辺水平部、３２…鉛直状脚部、３３…受け具、４０…ベッド床体、４１…ネット、４２…側部フレーム、５０…ヘッドフレーム、５１…上辺水平部、５２…鉛直状脚部、６０…フットフレーム、６１…上辺水平部、６２…鉛直状脚部、７１，７２…リンク、７３…移動用車輪、７４…ロックレバー、７５…係合部、７６…止めピン
【図１】
2006311873.tif 000003
【図２】
2006311873.tif 000004
【図３】
2006311873.tif 000005
【図４】
2006311873.tif 000006
【図５】
2006311873.tif 000007
【図６】
2006311873.tif 000008